(57)【特許請求の範囲】
【請求項１】
ディスクに対して情報の記録又は再生を行う情報記録ディスクの記録再生装置において、
上記ディスクを保持するディスクホルダを複数備え、上記各ディスクホルダを回動可能に支持して、上記ディスクホルダが扇状に開いて上記ディスクを着脱可能な状態と、上記各ディスクホルダがディスク積層方向に重なり複数枚のディスクを積層方向に重ね合わせた状態とに変形可能で、さらに、上記ディスクを積層した状態で保持する上記ディスクホルダが上記ディスク面に略垂直な方向に移動可能なマガジンが複数設けられ、
上記各マガジンに装着された上記各ディスクに対して共用される単一のヘッド部を有するアームが回動可能に取り付けられ、
複数のカム溝を有するディスク選択手段が上記マガジンに対してスライド自在に取り付けられるとともに、上記各ディスクホルダに設けられた選択ピンを上記ディスク選択手段に関連させることによって上記ディスク選択手段のスライド量に応じて上記特定のディスクを記録再生可能な位置まで移動させるようにしたことを特徴とする情報記録ディスクの記録再生装置。
【請求項２】
上記複数のマガジンに対して上記アームを共通に使用できるように上記アームの回動軸を中心として上記複数のマガジンが所定の間隔を保持して放射状に配置されたことを特徴とする請求項１記載の情報記録ディスクの記録再生装置。
【請求項３】
上記各マガジンに装着された上記各ディスクに対して共用されるディスク駆動手段が上記アームに取り付けられたことを特徴とする請求項２記載の情報記録ディスクの記録再生装置。
【発明の詳細な説明】
【０００１】
【発明の属する技術分野】
本発明は情報記録ディスクの記録再生装置に関する。詳しくは、複数の情報記録ディスクが装着されるディスクホルダを移動可能に支持するマガジンを複数設け、このマガジンに収納されたディスクに対して回動自在なアームに取り付けた共用ヘッド部で記録又は再生を行うことによって、装置の小型化及び部品点数の減少を図ることができる情報記録ディスクの記録再生装置に関する。
【０００２】
【従来の技術】
従来、複数枚の情報記録ディスクを収納するとともに選択的に１枚の情報記録ディスクの情報記録再生を行なう情報記録ディスクの記録再生装置としては、例えば、コンパクトディスク（以下ＣＤと呼ぶ）の再生を行なうＣＤチェンジャがある。
【０００３】
現在市販されている一般的なＣＤチェンジャは図８に示すようにＣＤの再生部１４２の他に装置本体に対してＣＤの出し入れを行うディスクトレイ１４３と、複数枚のＣＤを装置本体内に収納するストッカ１４４と、ストッカ１４４又はディスクトレイ１４３との間でＣＤの授受を行うキャリッジ１４５などで構成されているのが普通である。
【０００４】
ＣＤを再生するときは指定されたＣＤがストッカ１４４から引き出されてキャリッジ１４５に載置される。続いて、キャリッジ１４５が再生部１４２の高さまで降下し、ここでＣＤの再生が行われる。
【０００５】
【発明が解決しようとする課題】
しかし、上述したＣＤチェンジャでは多数枚のＣＤを収納できる反面、ディスクトレイ１４３、キャリッジ１４５及びこれらの駆動機構等を設ける必要があり、部品点数の増大によるコストアップの原因となっていた。また、キャリッジ１４５及びその駆動機構を設置するスペースやキャリッジ１４５が上下移動するためのスペース等を確保する必要があり、装置が大型化するという問題があった。
【０００６】
そこで、本発明は上述しような問題を解決したものであって、多数枚の情報記録ディスクの収納が可能であって、かつ構成を簡略化して装置の小型化及び部品点数の減少が可能な情報記録ディスクの記録再生装置を提案するものである。
【０００７】
【課題を解決するための手段】
上述の課題を解決するため、本発明においてはディスクに対して情報の記録又は再生を行う情報記録ディスクの記録再生装置において、ディスクを保持するディスクホルダを複数備え、各ディスクホルダを回動可能に支持して、ディスクホルダが扇状に開いてディスクを着脱可能な状態と、各ディスクホルダがディスク積層方向に重なり複数枚のディスクを積層方向に重ね合わせた状態とに変形可能で、さらに、ディスクを積層した状態で保持するディスクホルダがディスク面に略垂直な方向に移動可能なマガジンが複数設けられ、各マガジンに装着された各ディスクに対して共用される単一のヘッド部を有するアームが回動可能に取り付けられ、複数のカム溝を有するディスク選択手段がマガジンに対してスライド自在に取り付けられるとともに、各ディスクホルダに設けられた選択ピンをディスク選択手段に関連させることによってディスク選択手段のスライド量に応じて特定のディスクを記録再生可能な位置まで移動させるようにしたことを特徴とするものである。
【０００８】
情報記録ディスクの着脱を行うときは、ディスクホルダを回動させることにより各ディスクホルダが扇状に開き、各ディスクホルダの開放部分からディスクホルダに対するディスクの着脱が行われる。ディスクホルダを閉じることにより、各ディスクホルダがディスク積層方向に重ね合わされる。
情報記録ディスクの記録又は再生を行うときは、ディスクホルダがディスク積層方向に移動して、指定されたディスクの記録面の下側に再生用の空間部が形成される。そしてアームが回動して、ヘッド部がこの再生用の空間部に侵入しディスクの記録面に近接して配置される。この状態でヘッド部がディスクに対して信号の記録又は再生を行なう。
【０００９】
【発明の実施の形態】
以下、本発明の情報記録ディスクの記録再生装置の一実施の形態を図面を参照して説明する。
【００１０】
この実施の形態では、情報記録ディスクとして再生専用のコンパクトディスク（以下ＣＤと呼ぶ）を取り扱うＣＤチェンジャについて説明する。
【００１１】
図１は本発明に係るＣＤチェンジャ１をオーディオシステムコンポ１２１に取り付けた例を示す。このオーディオシステムコンポ１２１では略直方体に形成されたキャビネット１２２の上面に平面視略矩形の凹設部１２４が設けられ、この凹設部１２４の底面にＣＤチェンジャ１が取り付けられている。凹設部１２４には蓋板１２３が開閉自在に取り付けられ、この蓋板１２３を開いてＣＤチェンジャ１にＣＤを着脱する。
【００１２】
ＣＤチェンジャ１は図２に示すように複数（この実施の形態では４個）のマガジン２と、回動自在に構成されたアーム５１とから構成される。アーム５１と各マガジン２は凹設部１２４の略矩形のベース板１１に取り付けられ、各マガジン２はアーム５１の支軸５２を中心として所定間隔を保持して放射状に配置される。
【００１３】
マガジン２は図３及び図４に示すようにディスクホルダ体２１、２枚のディスクホルダ２２ａ，２２ｂ、２枚のリンク体２３ａ，２３ｂを備え、ＣＤ面にほぼ垂直な方向（ディスク積層方向）に３枚のＣＤを積層収納可能である。
【００１４】
ディスクホルダ体２１はＣＤを保持するためのディスクホルダ板部２４とこのディスクホルダ板部２４の後縁部から下方へ折曲する後縁部２５とから構成される。ディスクホルダ板部２４にはＣＤの径よりも少し大きい径の半円状に切欠されたＣＤ配置部２６が設けられ、このＣＤ配置部２６の両先端部が帯状のＣＤ保持板１３１によって連結される。
【００１５】
このＣＤ保持板１３１の中央には円板部１３３が形成され、ここに回転チャック部１３２が回転自在に取り付けられる。回転チャック部１３２の中心には開口部２７が開口され、その縁部にＣＤの中心孔に着脱自在に係合する３つの爪部２８が下面側に突出形成されている。この回転チャック部１３２に装着されたＣＤはその前半部がディスクホルダ体２１から突出するように保持される。
【００１６】
回転チャック部１３２を回転自在に構成したのは、後述するようにアーム５１（図２）の回動によってターンテーブル５３（図２）が回転チャック部１３２に連結されたときに、回転チャック部１３２に装着されたＣＤを回転できるようにするためである。
【００１７】
ディスクホルダ体２１の後縁部２５の両端部には図５及び図６に示すように連結部２９が形成される。一方、ベース板１１の上面には後面板１２が形成され、凹設部１２４の内壁面に近接して配される。後面板１２の両端縁部にはディスクホルダ体２１側へ向けて支持片１５，１５が折曲形成されている。この支持片１５の外側にディスクホルダ体２１の連結部２９の下部が支軸３０により回動可能に軸支され、ディスクホルダ体２１が回動自在となっている。また、図５に示すようにベース板１１には側板１３，１３が立設されており、その頂部にディスクホルダ体２１が当接することによって、図６に示すようにディスクホルダ体２１が所定の高さで水平に支持される。
【００１８】
図３及び図４に示すリンク体２３ａ，２３ｂにはＣＤの径よりも少し大きい径の半円状に切欠されたＣＤ配置部３１，３１が設けられる。各リンク体２３ａ，２３ｂの後部の両側縁から下方へ折曲された連結片部３８，３８を有し、この連結片部３８、３８が連結ピン４０，４０によってディスクホルダ体２１の両側の連結部２９，２９の側面に回動自在に軸支されている。
【００１９】
各リンク体２３ａ，２３ｂにはＣＤ配置部３１の両先端部の両側縁から下方へ折曲された連結片部３７，３７が設けられる。この連結片部３７，３７は後述するディスクホルダ２２ａ，２２ｂを軸支するためのものである。また、連結片部３７の一方には選択ピン４１ａ，４１ｂがそれぞれ突設されている。
【００２０】
一方、ディスクホルダ２２ａ，２２ｂは帯状に形成され、その中央には円板部１３４が形成される。この円板部１３４には回転チャック部１４１が回転自在に取り付けられる。回転チャック部１４１の中心には開口部３２が開口され、その縁部にＣＤの中心孔に着脱自在に係合する３つの爪部３３が突出形成されている。ディスクホルダ２２ａ，２２ｂの両側部にはリンク体２３ａ，２３ｂ側に向けて連結突部３４がそれぞれ突出形成されている。この連結片部３７，３７が連結ピン３９，３９によってディスクホルダ２２ａ，２２ｂの連結突部３４，３４の側面に回動自在に軸支される。
【００２１】
ディスクホルダ２２ａ，２２ｂの連結突部３４の先端部はリンク体２３ａ，２３ｂの下面に嵌合当接する当接部３５（図６に示す）となり、この当接部３５の当接によってディスクホルダ２２ａ，２２ｂが所定範囲を越えて回動しないように規制される。なお、回転チャック部１４１に装着されたＣＤはその前半部がディスクホルダ２２ａ，２２ｂから突出するように支持される。
【００２２】
そして、マガジン２は図３に示すようにＣＤの着脱時にディスクホルダ体２１を上方へ開放回動させることにより、このディスクホルダ体２１と各ディスクホルダ２２ａ，２２ｂが扇状に開かれる。ディスクホルダ体２１を閉じることにより、ディスクホルダ体２１および各ディスクホルダ２２ａ，２２ｂがディスク積層方向に重ね合わされてマガジン２に収納される。
【００２３】
図２に示すようにベース１１にはアーム５１が配設され、このアーム５１は右端基部の支軸５２を中心として１８０度に亘って回動可能に構成される。図５及び図６に示すようにアーム５１の先端部にはＣＤの中心孔をクランプするターンテーブル５３およびこのターンテーブル５３を回転させる駆動手段としてのモータ５４が取り付けられ、アーム５１上にはヘッド部としてのレーザピックアップ５５がアーム５１に沿って移動可能に配設されている。従って、このモータ５４及びレーザピックアップ５５は４個のマガジン２に装着されたどのＣＤに対しても共通して使用される。
【００２４】
そして、図示しない駆動機構によってアーム５１が回動するとともに、図示しない昇降機構によってアーム５１が選択されたＣＤの高さ位置に合わせて昇降される。また、図示しないピックアップ移動機構によってレーザピックアップ５５がアーム５１に沿って送られる。これら駆動機構、昇降機構およびピックアップ移動機構としては、例えば一般的な送り機構が用いられる。
【００２５】
また、図５に示すように各マガジン２の側面近傍にはディスク選択用カム板（ディスク選択手段）６１がスライド可能にそれぞれ設けられている。このディスク選択用カム板６１の下側縁には図７に示すようにラック１４１が形成され、ここに歯合するギヤ１４２が図示しない駆動手段によって駆動されることによりディスク選択用カム板６１がスライドする。
【００２６】
ディスク選択用カム板６１には、図中右寄り（図６に示す後板部１２側）に上面に開口する導入溝６５が上下方向に沿って開口形成され、この導入溝６５から２本のカム溝６６ａ，６６ｂが左側に向けて形成されている。各カム溝６６ａ，６６ｂは、導入溝６５から左側へ向けて水平に形成された上側水平溝部６７、この上側水平溝部６７から左側へ向けて下がり傾斜する傾斜溝部６８、傾斜溝部６８の下端から左側へ向けて水平に形成された下側水平溝部６９から構成される。下側のカム溝６６ａの傾斜溝部６８は上側のカム溝６６ｂの傾斜溝部６８より右寄りに位置している。
【００２７】
導入溝６５にはディスクホルダ体２１が閉じられた際に各ディスクホルダ２２ａ，２２ｂの選択ピン４１ａ，４１ｂが進入する。導入溝６５に開口する各カム溝６６ａ，６６ｂの上側水平溝部６７は導入溝６５に進入した各選択ピン４１ａ，４１ｂの高さ位置とほぼ一致し、ディスク選択用カム板６１の右方向へのスライド時に各カム溝６６ａ，６６ｂの上側水平溝部６７に各選択ピン４１ａ，４１ｂが進入可能になっている。
【００２８】
ディスク選択用カム板６１の後方へのスライドに伴って、まず、下側のディスクホルダ２２ａの選択ピン４１ａが傾斜溝部６８に沿って下降した後、中間のディスクホルダ２２ｂの選択ピン４１ｂが傾斜溝部６８に沿って下降する。すなわち、各ディスクホルダ２２ａ，２２ｂの選択ピン４１ａ，４１ｂが各上側水平溝部６７の高さにある位置が１枚目のＣＤ（下側のディスクホルダ２２ａに装着されるＣＤ）のディスク選択位置となり、下側のディスクホルダ２２ａの選択ピン４１ａが傾斜溝部６８に沿って下降した位置が２枚目のＣＤ（中間のディスクホルダ２２ｂに装着されるＣＤ）のディスク選択位置となり、中間のディスクホルダ２２ｂの選択ピン４１ｂが傾斜溝部６８に沿って下降した位置を３枚目のＣＤ（上側のディスクホルダ体２１に装着されるＣＤ）のディスク選択位置となる。
【００２９】
以上のように構成された本実施の形態の作用を説明する。ＣＤの着脱時にはＣＤチェンジャは待機状態とされる。待機状態ではディスク選択用カム板６１が図７（Ａ）に示す位置にあり、導入溝６５に対してディスクホルダ２２ａ，２２ｂの選択ピン４１ａ，４１ｂが上方向に挿脱可能とする。また、図２に示すようにアーム５１はマガジン２から退避した位置に移動されている。
【００３０】
ＣＤの装着時には図１に示すようにオーディオシステムコンポ１２１の蓋体１２３を開く。これによってＣＤチェンジャ１が外部に露出される。ここで収納しようとするマガジン２のディスクホルダ体２１を上方へ開放回動させることにより、図３に示すようにこのディスクホルダ体２１および各ディスクホルダ２２ａ，２２ｂが扇状に開かれる。
【００３１】
開かれたディスクホルダ体２１および各ディスクホルダ２２ａ，２２ｂの開放部分からＣＤを挿入し、ＣＤの中心孔を各爪部２８，３３に係合させながら、ディスクホルダ体２１および各ディスクホルダ２２ａ，２２ｂのＣＤ配置部２６，３１にそれぞれ収納する。ＣＤの収納後、ディスクホルダ体２１を閉じることにより、図４に示すようにディスクホルダ体２１および各ディスクホルダ２２ａ，２２ｂがディスク積層方向に重ね合わされる。また、ＣＤの取出時には、装着時とは逆の操作で取り出すことができる。
【００３２】
次に、いずれかのマガジン２の下側のディスクホルダ２２ａに装着された１枚目のＣＤの再生を行う場合について説明する。ＣＤチェンジャ１の待機状態ではディスク選択用カム板６１が図７（Ａ）に示す位置にあり、各ディスクホルダ２２ａ，２２ｂ（図４）は上側のディスクホルダ体２１（図４）に接して配されるので、下側のディスクホルダ体２２ａに装着された１枚目のＣＤの下側に再生用の空間部が形成されている。
【００３３】
続いて図２に示すようにアーム５１が図示しない昇降機構によって１枚目のＣＤの高さ位置に対応して昇降する。図示しない駆動機構によってアーム５１が回動することによって、レーザピックアップ５５が指定されたＣＤが収納されているマガジン２に進入し、ターンテーブル５３がＣＤの中心孔が連結されている回転チャック部１４１（図３）に下側から連結される。そして、モータ５４（図６）の駆動によりＣＤが回転し、レーザピックアップ５５がアーム５１上を移動してＣＤに記録された信号の読取再生を行なう。なお、アーム５１は回動自在であるのでいずれのマガジン２のＣＤに対してもターンテーブル５３を連結することができる。
【００３４】
次に、中間のディスクホルダ２２ｂに装着された２枚目のＣＤの再生を行う場合について説明する。図７（Ｂ）に示すようにディスク選択用カム板６１がギヤ１４２の回転によって移動する。ディスク選択用カム板６１の移動により、選択ピン４１ａ，４１ｂが各カム溝６６ａ，６６ｂの上側水平溝部６７に進入した後、下側の選択ピン４１ａのみが傾斜溝部６８に進入し、この選択ピン４１ａが傾斜溝部６８に沿って下降する。
【００３５】
下側の選択ピン４１ａの下降により、図４および図６に示すように下側のディスクホルダ２２ａおよびＣＤがリンク体２３ａの回動によりほぼ平行に下降し、中間のディスクホルダ２２ｂに装着された第２枚目のＣＤの下側に再生用の空間部Ａが形成される。
【００３６】
続いて図２に示すようにアーム５１が昇降及び回動することによって、レーザピックアップ５５が指定されたＣＤが収納されているマガジン２に進入し、ターンテーブル５３がＣＤの中心孔が連結されている回転チャック部１４１（図３）に下側から連結される。そして、モータ５４（図６）の駆動によりＣＤが回転し、レーザピックアップ５５がアーム５１上を移動してＣＤに記録された信号の読取再生を行なう。
【００３７】
次に、上側のディスクホルダ体２１に装着された３枚目のＣＤの再生を行う場合について説明する。図７（Ｃ）に示すようにディスク選択用カム板６１がギヤ１４２の回転によってさらに移動する。これによって中間のディスクホルダ２２ｂの選択ピン４１ｂが傾斜溝部６８に沿って下降する。
【００３８】
中間の選択ピン４１ｂの下降により、中間のディスクホルダ２２ｂ（図４）およびＣＤがリンク体２３ｂ（図４）の回動によりほぼ水平のまま下降し、上側のディスクホルダ体２１（図４）に装着された第３枚目のＣＤの下側に再生用の空間部を形成する。
【００３９】
続いて図２に示すようにアーム５１が昇降及び回動することによって、レーザピックアップ５５が指定されたＣＤが収納されているマガジン２に進入し、ターンテーブル５３がＣＤの中心孔が連結されている回転チャック部１３２に下側から連結される。モータ５４（図６）の駆動によりＣＤが回転し、レーザピックアップ５５がアーム５１上を移動してＣＤに記録された信号の読取再生を行なう。
【００４０】
以上のようにＣＤを着脱自在に装着する各ディスクホルダ２２ａ，２２ｂをそれぞれディスク積層方向に移動可能に複数の各リンク体２３ａ，２３ｂにて連結したマガジン２を複数設けたことによって、簡単な構成で多数枚のＣＤを収納して記録又は再生を行うことができる。また、レーザピックアップ５５及びモータ５４を回動可能なアーム５１に取り付けたことによって、各マガジン２に対するこれらの部品をを共用することができ、部品点数を減少させて原価を低減することができる。
【００４１】
なお、この実施の形態ではマガジン２を４個設けた例を示したが、マガジン２の設置個数はこれに限定されず、例えばマガジン２を２個や６個設けた場合であってもよい。また、情報記録ディスクには、再生専用、記録と再生の両方が含まれる。したがって、情報記録ディスクとしては、コンパクトディスクに限らず、ビデオディスク、記録再生可能とする光磁気ディスク、磁気ディスクなどが含まれる。
【００４２】
【発明の効果】
以上説明したように本発明は、ディスクに対して情報の記録又は再生を行う情報記録ディスクの記録再生装置において、ディスクを保持するディスクホルダを複数備え、各ディスクホルダを回動可能に支持して、ディスクホルダが扇状に開いてディスクを着脱可能な状態と、各ディスクホルダがディスク積層方向に重なり複数枚のディスクを積層方向に重ね合わせた状態とに変形可能で、さらに、ディスクを積層した状態で保持するディスクホルダがディスク面に略垂直な方向に移動可能なマガジンが複数設けられ、各マガジンに装着された各ディスクに対して共用される単一のヘッド部を有するアームが回動可能に取り付けられ、複数のカム溝を有するディスク選択手段がマガジンに対してスライド自在に取り付けられるとともに、各ディスクホルダに設けられた選択ピンをディスク選択手段に関連させることによってディスク選択手段のスライド量に応じて特定のディスクを記録再生可能な位置まで移動させるようにしたことを特徴とするものである。
【００４３】
従って本発明によれば、複数の情報記録ディスクを収納するマガジンを複数設け、単一のヘッド部を回動自在なアームに取り付けてこれらのマガジンに対してヘッド部を共用するようにしているため、装置の構成を簡略化してコストの低減が可能になる。また、ディスクを装着するディスクホルダは扇状に開いてディスクの着脱が可能で、かつディスクホルダをディスクの積層方向に選択的に移動できるので、装置の小型化が可能になる等の効果がある。
【図面の簡単な説明】
【図１】本発明に係る情報記録ディスクの記録再生装置であるＣＤチェンジャ１を取り付けたオーディオシステムコンポ１２１の構成を示す斜視図である。
【図２】ＣＤチェンジャの上面図である。
【図３】マガジン２の構成を示す斜視図である。
【図４】中間のディスクホルダ２２ｂに装着された２枚目のＣＤの再生を行なう場合のマガジン２の状態を示す斜視図である。
【図５】アーム５１とマガジン２との位置関係を示す上面図である。
【図６】中間のディスクホルダ２２ｂに装着された２枚目のＣＤの再生を行なう場合のマガジン２の状態を示す側断面図である。
【図７】ディスク選択用カム板６１の動作を説明するための図である。
【図８】従来のＣＤチェンジャの構成を示す側断面図である。
【符号の説明】
１  ＣＤチェンジャ
２  マガジン
２２ａ，２２ｂ  ディスクホルダ
２３ａ，２３ｂ  リンク体
４１ａ，４１ｂ  選択ピン
５１  アーム
５２  支軸
５３  ターンテーブル
５４  モータ
５５  レーザピックアップ
６１  ディスク選択用カム板
６６ａ，６６ｂ  カム溝
１２１  オーディオシステムコンポ
ＣＤ  情報記録ディスクとしてのコンパクトディスク
【図１】
0003541553.tif 000002
【図２】
0003541553.tif 000003
【図３】
0003541553.tif 000004
【図４】
0003541553.tif 000005
【図５】
0003541553.tif 000006
【図６】
0003541553.tif 000007
【図７】
0003541553.tif 000008
【図８】
0003541553.tif 000009